【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
入力された映像信号のフレーム間に補間フレームを挿入してフレームレートを変換する画像処理装置であって、
入力された映像信号のフレームを複数のブロックに分割し、ブロック毎の動きベクトルを検出する第１動きベクトル検出手段と、
入力された映像信号のフレームの少なくとも一部の領域を、前記第１動きベクトル検出手段で分割したブロックよりも小さいブロックである複数の小ブロックに分割し、小ブロック毎の動きベクトルを検出する第２動きベクトル検出手段と、
前記第１動きベクトル検出手段で分割したブロックのうち、テロップを含むブロックを検出するテロップ検出手段と、
動きベクトルを用いて前記補間フレームの画像を生成する補間フレーム生成手段と、
を有し、
前記補間フレーム生成手段は、前記テロップを含むブロックのうち、
テロップを含まないブロックが隣接するブロックの領域に対して、前記第２動きベクトル検出手段で検出された動きベクトルを用いて補間フレームの画像を生成し、
残りのブロックの領域に対して、前記第１動きベクトル検出手段で検出された動きベクトルを用いて補間フレームの画像を生成する
ことを特徴とする画像処理装置。
【請求項２】
前記補間フレーム生成手段は、前記テロップを含まないブロックが隣接するブロックの領域と他の領域との境界部では、前記第２動きベクトル検出手段で検出された動きベクトルを用いて生成した画像と前記第１動きベクトル検出手段で検出された動きベクトルを用いて生成した画像を合成するか、または、前記第２動きベクトル検出手段で検出された動きベクトルと前記第１動きベクトル検出手段で検出された動きベクトルとを合成した動きベクトルを用いることにより、前記補間フレームの画像を生成する
ことを特徴とする請求項１に記載の画像処理装置。
【請求項３】
前記第２動きベクトル検出手段は、前記テロップを含むブロックのうち、テロップを含まないブロックが隣接するブロックの領域のみを前記複数の小ブロックに分割する
ことを特徴とする請求項１または２に記載の画像処理装置。
【請求項４】
入力された映像信号のフレーム間に補間フレームを挿入してフレームレートを変換する画像処理装置であって、
入力された映像信号のフレームを複数のブロックに分割し、ブロック毎の動きベクトルを検出する動きベクトル検出手段と、
前記入力された映像信号に含まれるテロップの動きベクトルの情報を取得する取得手段と、
動きベクトルを用いて前記補間フレームの画像を生成する補間フレーム生成手段と、
を有し、
前記動きベクトル検出手段は、
時間的に連続する２つのフレームの一方のフレームのブロック毎に、そのブロック内の画像の画素値との差の絶対値の総和であるＳＡＤが最小となる画像の領域を他方のフレームから検出し、
前記一方のフレームのブロック毎に、そのブロックと前記検出した領域との位置のずれ量を動きベクトルとして出力するとともに、前記最小となるＳＡＤを最小ＳＡＤとして出力し、
前記補間フレーム生成手段は、
前記動きベクトル検出手段で検出された動きベクトルが前記取得手段で取得された前記テロップの動きベクトルと等しいブロック及びそのブロックに隣接するブロックのうち、
自身の最小ＳＡＤよりも少なくとも所定値だけ小さい最小ＳＡＤのブロックが隣接するブロックの領域に対して、前記取得手段で取得された前記テロップの動きベクトルを用いて補間フレームの画像を生成し、
残りのブロックの領域に対して、前記動きベクトル検出手段で検出された動きベクトルを用いて補間フレームの画像を生成する
ことを特徴とする画像処理装置。
【請求項５】
前記補間フレーム生成手段は、前記自身の最小ＳＡＤよりも少なくとも所定値だけ小さい最小ＳＡＤのブロックが隣接するブロックの領域と他の領域との境界部では、前記取得手段で取得された前記テロップの動きベクトルを用いて生成した画像と前記動きベクトル検出手段で検出された動きベクトルを用いて生成した画像を合成するか、または、前記取得手段で取得された前記テロップの動きベクトルと前記動きベクトル検出手段で検出された動きベクトルとを合成した動きベクトルを用いることにより、前記補間フレームの画像を生成する
ことを特徴とする請求項４に記載の画像処理装置。
【請求項６】
入力された映像信号のフレーム間に補間フレームを挿入してフレームレートを変換する画像処理装置により実行される画像処理方法であって、
入力された映像信号のフレームを複数のブロックに分割し、ブロック毎の動きベクトルを検出する第１動きベクトル検出ステップと、
入力された映像信号のフレームの少なくとも一部の領域を、前記第１動きベクトル検出ステップで分割したブロックよりも小さいブロックである複数の小ブロックに分割し、小ブロック毎の動きベクトルを検出する第２動きベクトル検出ステップと、
前記第１動きベクトル検出ステップで分割したブロックのうち、テロップを含むブロックを検出するテロップ検出ステップと、
動きベクトルを用いて前記補間フレームの画像を生成する補間フレーム生成ステップと、
を有し、
前記補間フレーム生成ステップでは、前記テロップを含むブロックのうち、
テロップを含まないブロックが隣接するブロックの領域に対して、前記第２動きベクトル検出ステップで検出された動きベクトルを用いて補間フレームの画像が生成され、
残りのブロックの領域に対して、前記第１動きベクトル検出ステップで検出された動き
ベクトルを用いて補間フレームの画像が生成される
ことを特徴とする画像処理方法。
【請求項７】
前記補間フレーム生成ステップでは、前記テロップを含まないブロックが隣接するブロックの領域と他の領域との境界部において、前記第２動きベクトル検出ステップで検出された動きベクトルを用いて生成した画像と前記第１動きベクトル検出ステップで検出された動きベクトルを用いて生成した画像を合成するか、または、前記第２動きベクトル検出ステップで検出された動きベクトルと前記第１動きベクトル検出ステップで検出された動きベクトルとを合成した動きベクトルを用いることにより、前記補間フレームの画像が生成される
ことを特徴とする請求項６に記載の画像処理方法。
【請求項８】
前記第２動きベクトル検出ステップでは、前記テロップを含むブロックのうち、テロップを含まないブロックが隣接するブロックの領域のみが前記複数の小ブロックに分割される
ことを特徴とする請求項６または７に記載の画像処理方法。
【請求項９】
入力された映像信号のフレーム間に補間フレームを挿入してフレームレートを変換する画像処理装置により実行される画像処理方法であって、
入力された映像信号のフレームを複数のブロックに分割し、ブロック毎の動きベクトルを検出する動きベクトル検出ステップと、
前記入力された映像信号に含まれるテロップの動きベクトルの情報を取得する取得ステップと、
動きベクトルを用いて前記補間フレームの画像を生成する補間フレーム生成ステップと、
を有し、
前記動きベクトル検出ステップでは、
時間的に連続する２つのフレームの一方のフレームのブロック毎に、そのブロック内の画像の画素値との差の絶対値の総和であるＳＡＤが最小となる画像の領域が他方のフレームから検出され、
前記一方のフレームのブロック毎に、そのブロックと前記検出した領域との位置のずれ量が動きベクトルとして出力されるとともに、前記最小となるＳＡＤが最小ＳＡＤとして出力され、
前記補間フレーム生成ステップでは、
前記動きベクトル検出ステップで検出された動きベクトルが前記取得ステップで取得された前記テロップの動きベクトルと等しいブロック及びそのブロックに隣接するブロックのうち、
自身の最小ＳＡＤよりも少なくとも所定値だけ小さい最小ＳＡＤのブロックが隣接するブロックの領域に対して、前記取得ステップで取得された前記テロップの動きベクトルを用いて補間フレームの画像が生成され、
残りのブロックの領域に対して、前記動きベクトル検出ステップで検出された動きベクトルを用いて補間フレームの画像が生成される
ことを特徴とする画像処理方法。
【請求項１０】
前記補間フレーム生成ステップでは、前記自身の最小ＳＡＤよりも少なくとも所定値だけ小さい最小ＳＡＤのブロックが隣接するブロックの領域と他の領域との境界部において、前記取得ステップで取得された前記テロップの動きベクトルを用いて生成した画像と前記動きベクトル検出ステップで検出された動きベクトルを用いて生成した画像を合成するか、または、前記取得ステップで取得された前記テロップの動きベクトルと前記動きベクトル検出ステップで検出された動きベクトルとを合成した動きベクトルを用いることによ
り、前記補間フレームの画像が生成される
ことを特徴とする請求項９に記載の画像処理方法。
【手続補正２】
【補正対象書類名】明細書
【補正対象項目名】０００７
【補正方法】変更
【補正の内容】
【０００７】
本発明の第１の態様は、入力された映像信号のフレーム間に補間フレームを挿入してフレームレートを変換する画像処理装置であって、入力された映像信号のフレームを複数のブロックに分割し、ブロック毎の動きベクトルを検出する第１動きベクトル検出手段と、入力された映像信号のフレームの少なくとも一部の領域を、前記第１動きベクトル検出手段で分割したブロックよりも小さいブロックである複数の小ブロックに分割し、小ブロック毎の動きベクトルを検出する第２動きベクトル検出手段と、前記第１動きベクトル検出手段で分割したブロックのうち、テロップを含むブロックを検出するテロップ検出手段と、動きベクトルを用いて前記補間フレームの画像を生成する補間フレーム生成手段と、を有し、前記補間フレーム生成手段は、前記テロップを含むブロックのうち、テロップを含まないブロックが隣接するブロックの領域に対して、前記第２動きベクトル検出手段で検出された動きベクトルを用いて補間フレームの画像を生成し、残りのブロックの領域に対して、前記第１動きベクトル検出手段で検出された動きベクトルを用いて補間フレームの画像を生成することを特徴とする画像処理装置である。
【手続補正３】
【補正対象書類名】明細書
【補正対象項目名】０００８
【補正方法】変更
【補正の内容】
【０００８】
本発明の第２の態様は、入力された映像信号のフレーム間に補間フレームを挿入してフレームレートを変換する画像処理装置であって、入力された映像信号のフレームを複数のブロックに分割し、ブロック毎の動きベクトルを検出する動きベクトル検出手段と、前記入力された映像信号に含まれるテロップの動きベクトルの情報を取得する取得手段と、動きベクトルを用いて前記補間フレームの画像を生成する補間フレーム生成手段と、を有し、前記動きベクトル検出手段は、時間的に連続する２つのフレームの一方のフレームのブロック毎に、そのブロック内の画像の画素値との差の絶対値の総和であるＳＡＤが最小となる画像の領域を他方のフレームから検出し、前記一方のフレームのブロック毎に、そのブロックと前記検出した領域との位置のずれ量を動きベクトルとして出力するとともに、前記最小となるＳＡＤを最小ＳＡＤとして出力し、前記補間フレーム生成手段は、前記動きベクトル検出手段で検出された動きベクトルが前記取得手段で取得された前記テロップの動きベクトルと等しいブロック及びそのブロックに隣接するブロックのうち、自身の最小ＳＡＤよりも少なくとも所定値だけ小さい最小ＳＡＤのブロックが隣接するブロックの領域に対して、前記取得手段で取得された前記テロップの動きベクトルを用いて補間フレームの画像を生成し、残りのブロックの領域に対して、前記動きベクトル検出手段で検出された動きベクトルを用いて補間フレームの画像を生成することを特徴とする画像処理装置である。
【手続補正４】
【補正対象書類名】明細書
【補正対象項目名】０００９
【補正方法】変更
【補正の内容】
【０００９】
本発明の第３の態様は、入力された映像信号のフレーム間に補間フレームを挿入してフレームレートを変換する画像処理装置により実行される画像処理方法であって、入力された映像信号のフレームを複数のブロックに分割し、ブロック毎の動きベクトルを検出する第１動きベクトル検出ステップと、入力された映像信号のフレームの少なくとも一部の領域を、前記第１動きベクトル検出ステップで分割したブロックよりも小さいブロックである複数の小ブロックに分割し、小ブロック毎の動きベクトルを検出する第２動きベクトル検出ステップと、前記第１動きベクトル検出ステップで分割したブロックのうち、テロップを含むブロックを検出するテロップ検出ステップと、動きベクトルを用いて前記補間フレームの画像を生成する補間フレーム生成ステップと、を有し、前記補間フレーム生成ステップでは、前記テロップを含むブロックのうち、テロップを含まないブロックが隣接するブロックの領域に対して、前記第２動きベクトル検出ステップで検出された動きベクトルを用いて補間フレームの画像が生成され、残りのブロックの領域に対して、前記第１動きベクトル検出ステップで検出された動きベクトルを用いて補間フレームの画像が生成されることを特徴とする画像処理方法である。
【手続補正５】
【補正対象書類名】明細書
【補正対象項目名】００１０
【補正方法】変更
【補正の内容】
【００１０】
本発明の第４の態様は、入力された映像信号のフレーム間に補間フレームを挿入してフレームレートを変換する画像処理装置により実行される画像処理方法であって、入力された映像信号のフレームを複数のブロックに分割し、ブロック毎の動きベクトルを検出する動きベクトル検出ステップと、前記入力された映像信号に含まれるテロップの動きベクトルの情報を取得する取得ステップと、動きベクトルを用いて前記補間フレームの画像を生成する補間フレーム生成ステップと、を有し、前記動きベクトル検出ステップでは、時間的に連続する２つのフレームの一方のフレームのブロック毎に、そのブロック内の画像の画素値との差の絶対値の総和であるＳＡＤが最小となる画像の領域が他方のフレームから検出され、前記一方のフレームのブロック毎に、そのブロックと前記検出した領域との位置のずれ量が動きベクトルとして出力されるとともに、前記最小となるＳＡＤが最小ＳＡＤとして出力され、前記補間フレーム生成ステップでは、前記動きベクトル検出ステップで検出された動きベクトルが前記取得ステップで取得された前記テロップの動きベクトルと等しいブロック及びそのブロックに隣接するブロックのうち、自身の最小ＳＡＤよりも少なくとも所定値だけ小さい最小ＳＡＤのブロックが隣接するブロックの領域に対して、前記取得ステップで取得された前記テロップの動きベクトルを用いて補間フレームの画像が生成され、残りのブロックの領域に対して、前記動きベクトル検出ステップで検出された動きベクトルを用いて補間フレームの画像が生成されることを特徴とする画像処理方法である。